【手続補正書】
【提出日】平成27年3月11日(2015.3.11)
【手続補正１】
【補正対象書類名】特許請求の範囲
【補正対象項目名】全文
【補正方法】変更
【補正の内容】
【特許請求の範囲】
【請求項１】
複合材料と、
インターリーフと、
インナーコアと
を含み、複合材料及びインターリーフがインナーコアに巻き付けられた層を形成している、巻き付け型流体処理エレメントであって、
複合材料が、
支持部材を通って伸びている複数の細孔を含む支持部材と、
支持部材の細孔中に位置している非自己支持マクロ多孔性架橋ゲルと
を含み、
支持部材が膜又は繊維織物の形態であり、
マクロ多孔性架橋ゲルのマクロ細孔が支持部材の細孔より小さい、巻き付け型流体処理エレメント。
【請求項２】
層がインナーコアにらせん状に巻き付けられている、請求項1に記載の巻き付け型流体処理エレメント。
【請求項３】
複合材料がインターリーフと接触している、請求項1に記載の巻き付け型流体処理エレメント。
【請求項４】
層がインナーコアの周りの同心円でない、請求項1に記載の巻き付け型流体処理エレメント。
【請求項５】
インターリーフがスクリーン又は不織材料である、請求項1に記載の巻き付け型流体処理エレメント。
【請求項６】
インターリーフがメッシュである、請求項1に記載の巻き付け型流体処理エレメント。
【請求項７】
インターリーフがカプセルスペーサーである、請求項1に記載の巻き付け型流体処理エレメント。
【請求項８】
インターリーフがポリプロピレン又はポリエチレンである、請求項7に記載の巻き付け型流体処理エレメント。
【請求項９】
インターリーフがラボ基材である、請求項1に記載の巻き付け型流体処理エレメント。
【請求項１０】
インターリーフが不織ポリプロピレンである、請求項1に記載の巻き付け型流体処理エレメント。
【請求項１１】
インターリーフがスパンボンドポリプロピレンである、請求項1に記載の巻き付け型流体処理エレメント。
【請求項１２】
インターリーフが紙である、請求項1に記載の巻き付け型流体処理エレメント。
【請求項１３】
インナーコアが円筒管である、請求項1に記載の巻き付け型流体処理エレメント。
【請求項１４】
インナーコアがプラスチックである、請求項1に記載の巻き付け型流体処理エレメント。
【請求項１５】
インナーコアがポリプロピレンである、請求項1に記載の巻き付け型流体処理エレメント。
【請求項１６】
インナーコアが管に巻き付けられたスクリーンである、請求項1に記載の巻き付け型流体処理エレメント。
【請求項１７】
インナーコアが、それ自体に巻かれたインターリーフを含む、請求項1に記載の巻き付け型流体処理エレメント。
【請求項１８】
ハウジングユニットを含む流体処理装置であって、
ハウジングユニットが、
(a)第1の開口部及び第2の開口部と、
(b)第1の開口部と第2の開口部との間の流体流路と、
(c)インナーコアに巻き付けられた層を形成している複合材料及びインターリーフを含む巻き付け型流体処理エレメントと
を含み、
巻き付け型流体処理エレメントが、第1の開口部に入る流体が、第2の開口部を出る前に複合材料の少なくとも一つの層及びインターリーフの少なくとも一つの層を経て流れなければならないように、流体流路と交差した方向に配置されている、流体処理装置。
【請求項１９】
ハウジングユニットを含む流体処理装置であって、
ハウジングユニットが、
(a)第1の開口部及び第2の開口部と、
(b)第1の開口部と第2の開口部との間の流体流路と、
(c)インナーコアに巻き付けられた層を形成している複合材料及びインターリーフを含む巻き付け型流体処理エレメントと
を含み、
巻き付け型流体処理エレメントが、第1の開口部に入る流体がインナーコアに達し、第2の開口部を出る前に複合材料の少なくとも一つの層及びインターリーフの少なくとも一つの層を経て流れなければならないように、流体流路と交差した方向に配置されている、流体処理装置。
【請求項２０】
ハウジングユニットが実質的に円筒状である、請求項18又は19に記載の流体処理装置。
【請求項２１】
ハウジングユニットが使い捨て又は再使用可能である、請求項18から20のいずれか一項に記載の流体処理装置。
【請求項２２】
ハウジングユニットがプラスチック又はステンレススチールである、請求項18から21のいずれか一項に記載の流体処理装置。
【請求項２３】
センサーを含む、請求項18から22のいずれか一項に記載の流体処理装置。
【請求項２４】
物質を含む第1の流体を請求項1から17のいずれか一項に記載の巻き付け型流体処理エレメントの複合材料と接触させ、それにより、複合材料上に物質を吸着又は吸収させるステップを含む方法。
【手続補正２】
【補正対象書類名】明細書
【補正対象項目名】０２２６
【補正方法】変更
【補正の内容】
【０２２６】
同等物
当業者は、本明細書で述べた本発明の特定の実施形態の多くの同等物をせいぜい常用の実験を用いて認識する又は確認することができる。そのような同等物は、以下の特許請求の範囲によって含まれるものとする。本発明の実施形態として例えば以下を挙げることができる。
［実施形態１］
複合材料と、
インターリーフと、
インナーコアと
を含み、複合材料及びインターリーフがインナーコアに巻き付けられた層を形成している、巻き付け型流体処理エレメント。
［実施形態２］
層がインナーコアにらせん状に巻き付けられている、実施形態1に記載の巻き付け型流体処理エレメント。
［実施形態３］
複合材料がインターリーフと接触している、実施形態1に記載の巻き付け型流体処理エレメント。
［実施形態４］
層がインナーコアの周りの同心円でない、実施形態1に記載の巻き付け型流体処理エレメント。
［実施形態５］
インターリーフがスクリーン又は不織材料である、実施形態1に記載の巻き付け型流体処理エレメント。
［実施形態６］
インターリーフがメッシュである、実施形態1に記載の巻き付け型流体処理エレメント。
［実施形態７］
インターリーフがカプセルスペーサーである、実施形態1に記載の巻き付け型流体処理エレメント。
［実施形態８］
インターリーフがポリプロピレン又はポリエチレンである、実施形態7に記載の巻き付け型流体処理エレメント。
［実施形態９］
インターリーフの厚さが約100μm〜約400μmである、実施形態7又は8に記載の巻き付け型流体処理エレメント。
［実施形態１０］
インターリーフが約50%〜約99%の気孔率を有する、実施形態7から9のいずれか一項に記載の巻き付け型流体処理エレメント。
［実施形態１１］
インターリーフがラボ基材である、実施形態1に記載の巻き付け型流体処理エレメント。
［実施形態１２］
インターリーフが不織ポリプロピレンである、実施形態1に記載の巻き付け型流体処理エレメント。
［実施形態１３］
インターリーフの厚さが約100μm〜約400μmである、実施形態12に記載の巻き付け型流体処理エレメント。
［実施形態１４］
インターリーフが約50%〜約90%の気孔率を有する、実施形態12又は13に記載の巻き付け型流体処理エレメント。
［実施形態１５］
インターリーフがスパンボンドポリプロピレンである、実施形態1に記載の巻き付け型流体処理エレメント。
［実施形態１６］
インターリーフが約0.70oz/yd2〜約0.95oz/yd2の坪量のスパンボンドポリプロピレンである、実施形態1に記載の巻き付け型流体処理エレメント。
［実施形態１７］
インターリーフの厚さが約50μm〜約300μmである、実施形態15又は16に記載の巻き付け型流体処理エレメント。
［実施形態１８］
インターリーフが約50%〜約99%の気孔率を有する、実施形態15から17のいずれか一項に記載の巻き付け型流体処理エレメント。
［実施形態１９］
インターリーフがメッシュであり、メッシュが押出成形網である、実施形態1に記載の巻き付け型流体処理エレメント。
［実施形態２０］
インターリーフが0.45-mmメッシュである、実施形態1、6又は19に記載の巻き付け型流体処理エレメント。
［実施形態２１］
インターリーフの厚さが約300μm〜約600μmである、実施形態20に記載の巻き付け型流体処理エレメント。
［実施形態２２］
インターリーフが約90%〜約99%の気孔率を有する、実施形態20又は21に記載の巻き付け型流体処理エレメント。
［実施形態２３］
インターリーフの厚さが約800μm〜約1200μmである、実施形態20に記載の巻き付け型流体処理エレメント。
［実施形態２４］
インターリーフが約90%〜約99%の気孔率を有する、実施形態20又は23に記載の巻き付け型流体処理エレメント。
［実施形態２５］
インターリーフが紙である、実施形態1に記載の巻き付け型流体処理エレメント。
［実施形態２６］
インターリーフの厚さが約20μm〜約400μmである、実施形態25に記載の巻き付け型流体処理エレメント。
［実施形態２７］
インターリーフが約40%〜約90%の気孔率を有する、実施形態25又は26に記載の巻き付け型流体処理エレメント。
［実施形態２８］
インナーコアが円筒管である、実施形態1に記載の巻き付け型流体処理エレメント。
［実施形態２９］
インナーコアが有孔円筒管である、実施形態1に記載の巻き付け型流体処理エレメント。
［実施形態３０］
インナーコアが、その末端の一つにキャップが付けられ又は密閉されている有孔円筒管である、実施形態1に記載の巻き付け型流体処理エレメント。
［実施形態３１］
インナーコアがプラスチックである、実施形態1に記載の巻き付け型流体処理エレメント。
［実施形態３２］
インナーコアがポリプロピレンである、実施形態1に記載の巻き付け型流体処理エレメント。
［実施形態３３］
インナーコアが管に巻き付けられたスクリーンである、実施形態1に記載の巻き付け型流体処理エレメント。
［実施形態３４］
インナーコアの直径が約0.2cm〜約200cmである、実施形態1に記載の巻き付け型流体処理エレメント。
［実施形態３５］
インナーコアの長さが約2cm〜約200cmである、実施形態1に記載の巻き付け型流体処理エレメント。
［実施形態３６］
インナーコアが高度に多孔性のセル構造様材料を含む、実施形態1に記載の巻き付け型流体処理エレメント。
［実施形態３７］
インナーコアが、それ自体に巻かれたインターリーフを含む、実施形態1に記載の巻き付け型流体処理エレメント。
［実施形態３８］
ハウジングユニットを含む流体処理装置であって、
ハウジングユニットが、
(a)第1の開口部及び第2の開口部と、
(b)第1の開口部と第2の開口部との間の流体流路と、
(c)インナーコアに巻き付けられた層を形成している複合材料及びインターリーフを含む巻き付け型流体処理エレメントと
を含み、
巻き付け型流体処理エレメントが、第1の開口部に入る流体が、第2の開口部を出る前に複合材料の少なくとも一つの層及びインターリーフの少なくとも一つの層を経て流れなければならないように、流体流路と交差した方向に配置されている、流体処理装置。
［実施形態３９］
ハウジングユニットを含む流体処理装置であって、
ハウジングユニットが、
(a)第1の開口部及び第2の開口部と、
(b)第1の開口部と第2の開口部との間の流体流路と、
(c)インナーコアに巻き付けられた層を形成している複合材料及びインターリーフを含む巻き付け型流体処理エレメントと
を含み、
巻き付け型流体処理エレメントが、第1の開口部に入る流体がインナーコアに達し、第2の開口部を出る前に複合材料の少なくとも一つの層及びインターリーフの少なくとも一つの層を経て流れなければならないように、流体流路と交差した方向に配置されている、流体処理装置。
［実施形態４０］
ハウジングユニットが実質的に円筒状である、実施形態38又は39に記載の流体処理装置。
［実施形態４１］
ハウジングユニットが約1cm〜約50cmの内径を有する、実施形態40に記載の流体処理装置。
［実施形態４２］
ハウジングユニットが使い捨て又は再使用可能である、実施形態38から41のいずれか一項に記載の流体処理装置。
［実施形態４３］
ハウジングユニットがプラスチック又はステンレススチールである、実施形態38から42のいずれか一項に記載の流体処理装置。
［実施形態４４］
センサーを含む、実施形態38から43のいずれか一項に記載の流体処理装置。
［実施形態４５］
物質を含む第1の流体を実施形態1から37のいずれか一項に記載の巻き付け型流体処理エレメントの複合材料と接触させ、それにより、複合材料上に物質を吸着又は吸収させるステップを含む方法。